(57)【要約】【課題】予熱を行ってトナー画像の熱定着方式は装置の電源オンのみならずスリープ状態からの復帰時も定着モータを駆動し、各種ローラが回転するため、騒音の問題があった。【解決手段】定着器の定着フィルムの温度を検知し、画像形成装置がスリープ状態から復帰したかどうかを確認する。そして、前記スリープ状態からの復帰が確認された場合、検知される定着フィルムの温度と予め定められた閾値とを比較する。ここで、その比較の結果、定着フィルムの温度が予め定められた閾値未満であれば、記録媒体に転写されたトナー像を熱定着するために定着フィルムを加熱するヒータに通電して定着フィルムの予備加熱を行うよう制御する。これに対して、定着フィルムの温度が前記予め定められた閾値以上であれば、前記ヒータへの通電を行わないよう制御する。【選択図】  図４
2016057505.tif 000002
【特許請求の範囲】
【請求項１】
電子写真方式に従って形成され、記録媒体に転写されたトナー像を定着フィルムにより熱定着して画像を形成する画像形成装置であって、
前記記録媒体に転写されたトナー像を熱定着するために前記定着フィルムを加熱するヒータと、
前記定着フィルムの温度を検知する検知手段と、
前記画像形成装置がスリープ状態から復帰したかどうかを確認する確認手段と、
前記確認手段により前記スリープ状態からの復帰が確認された場合、前記検知手段により検知される前記定着フィルムの温度と予め定められた閾値とを比較する比較手段と、
前記比較手段による比較の結果、前記定着フィルムの温度が前記予め定められた閾値未満であれば、前記ヒータに通電して前記定着フィルムの予備加熱を行い、前記定着フィルムの温度が前記予め定められた閾値以上であれば、前記ヒータへの通電を行わないよう制御する制御手段とを有することを特徴とする画像形成装置。
【請求項２】
前記熱定着を行うため、前記記録媒体を前記定着フィルムとの間に挟持する加圧ローラと、
前記加圧ローラと前記定着フィルムとにより形成されるニップ部へと前記トナー像が転写された記録媒体を搬送する搬送手段とをさらに有することを特徴とする請求項１に記載の画像形成装置。
【請求項３】
前記搬送手段は、
前記記録媒体を搬送する搬送ローラと、
前記搬送ローラを駆動するモータとを含むことを特徴とする請求項２に記載の画像形成装置。
【請求項４】
前記加圧ローラを駆動する定着モータと、
前記ヒータと前記搬送手段のモータと前記定着モータとへの電力供給を管理する電源管理手段とをさらに有することを特徴とする請求項３に記載の画像形成装置。
【請求項５】
前記電源管理手段は、
前記確認手段により前記スリープ状態からの復帰が確認された場合、前記搬送手段のモータと前記定着モータとへの電力供給は行わず、前記確認手段により前記スリープ状態からの復帰が確認されなかった場合、前記搬送手段のモータと前記定着モータとへの電力供給を行うよう電力の供給を制御することを特徴とする請求項４に記載の画像形成装置。
【請求項６】
前記予め定められた閾値は、前記定着フィルムに塗布された潤滑剤の融点温度であることを特徴とする請求項１乃至５のいずれか１項に記載の画像形成装置。
【請求項７】
前記画像形成装置は、
電子写真方式に従って画像形成を行うプリンタエンジンと、
前記画像形成のための制御を行うプリンタコントローラとを有し、
前記ヒータと、前記検知手段と、前記確認手段と、前記比較手段と、前記制御手段とは前記プリンタエンジンに含まれ、
前記確認手段は前記プリンタコントローラからの指示に基づいて確認を行うことを特徴とする請求項１乃至６のいずれか１項に記載の画像形成装置。
【請求項８】
電子写真方式に従って形成され、記録媒体に転写されたトナー像を定着フィルムにより熱定着して画像を形成する画像形成装置の制御方法であって、
前記定着フィルムの温度を検知する検知工程と、
前記画像形成装置がスリープ状態から復帰したかどうかを確認する確認工程と、
前記確認工程において前記スリープ状態からの復帰が確認された場合、前記検知工程により検知される前記定着フィルムの温度と予め定められた閾値とを比較する比較工程と、
前記比較工程における比較の結果、前記定着フィルムの温度が前記予め定められた閾値未満であれば、前記記録媒体に転写されたトナー像を熱定着するために前記定着フィルムを加熱するヒータに通電して前記定着フィルムの予備加熱を行い、前記定着フィルムの温度が前記予め定められた閾値以上であれば、前記ヒータへの通電を行わないよう制御する制御工程とを有することを特徴とする制御方法。
【発明の詳細な説明】
【技術分野】
【０００１】
本発明は画像形成装置、及び画像形成装置の制御方法に関し、特に、例えば、電子写真方式に従ってトナー画像を形成し、これを熱定着により定着させて画像を形成する画像形成装置、及びその制御方法に関する。
【背景技術】
【０００２】
従来より電子写真方式を用いた画像形成装置では、潜像を担持する潜像担持体に現像剤（トナー）を付与して潜像をトナー像として可視化し、そのトナー像を紙等の記録媒体に転写し、その記録媒体を定着部に搬送し、転写されたトナー像を定着させていた。その定着では、ヒータにより加熱された定着ローラと加圧ローラとからなる熱ローラ対によって記録媒体を挟持搬送しながらトナー像を溶融して固着させる、所謂、熱ローラ方式を用いた定着器が広く使用されている。
【０００３】
熱ローラ方式を用いた場合、熱ローラ対の温度がトナー像を速やかに溶離、固着するのに十分な定着温度に達するまでの立ち上がり時間が長く、この立ち上がり時間を短くするために予熱が必要となる。このため、画像形成装置においてコピー（画像形成）のスイッチをＯＮ（入力操作）してからコピー可能な状態になるまでに長いウォームアップ時間を要し、クイックスタートが行えないことがある。
【０００４】
そこで、立ち上がり時間を短縮すべく、定着体として耐熱性フィルム（以下、定着フィルム）を使用した定着フィルム方式を採用した定着器が用いられるようになっている。定着フィルム方式の定着器では、アルミナ等の高熱伝導度の材質で形成された基板上に、抵抗発熱層を設けて加熱部材を構成し、更に加圧ローラによって耐熱性フィルムを加熱部材に押しつける。定着時には加熱部材が加熱され、定着フィルム又は加圧ローラが駆動されトナー像が転写された記録媒体が加圧ローラと定着フィルムとの間に供給されると、加圧ローラと定着フィルムによりその記録媒体を挟持搬送しながらトナー像を記録媒体に溶融固着させる。なお、基板上には加熱部材の温度を検出するためのサーミスタが接着されており、その出力を基に加熱部材の温度制御がなされる。
【０００５】
定着フィルム方式によると、熱ローラ方式では熱ローラ全体を加熱していたのに対し、定着に必要な加熱部材と加圧ローラとの圧接部（定着フィルムに接触する部分）のみを加熱すれば足るので、加熱熱量が少ない。このため、これらの部分が定着可能な温度に達するまでの立ち上がり時間が短く、予熱を必要としない。これにより、画像形成装置のクイックスタートが可能となり、さらに消費電力も少ないという長所がある。
【０００６】
一方で、定着フィルム方式の定着器は、画像形成開始後に加熱を開始するために画像形成開始後に定着器のニップ部にトナー像が転写された記録媒体が到達するまでに、加熱部材の温度を定着可能な温度にまで上昇させる必要がある。このため、ファーストコピー時間が長くなってしまう等の問題がある。この問題を解決するため、これまでにも例えば、特許文献１に開示されているような技術が提案されている。
【０００７】
特許文献１によれば、画像形成装置の電源投入から入力操作までの間の一連の動作のうち少なくとも一つの動作を予備動作としてが検知すると、ヒータによる加熱を開始し、センサによる検知温度が所定温度になるまで上記加熱して予熱動作する。さらに、これと共に、その予熱動作中に定着フィルム及び加圧ローラが定着処理時よりも小さい所定時間当りの回転量で回転した後、所定時間内に定着処理を開始する。
【先行技術文献】
【特許文献】
【０００８】
【特許文献１】特開２００２−０４０８６９号公報
【発明の概要】
【発明が解決しようとする課題】
【０００９】
しかしながら特許文献１で提案されたような予熱を行う方式は電源オン時のみならずスリープ復帰時も定着処理ために定着モータを駆動して各種ローラが回転するため、騒音が発生するという問題があった。
【００１０】
さらに、電源オン時又はスリープ復帰後の各種ローラの初期回転では、定着ローラと加圧ローラを必要な量だけ回転させるのに要する時間が長くかかり、動作時間が伸びてしまうことに繋がる。
【００１１】
また、装置としての定格消費電力が設計で決まっている場合、モータ駆動のためにモータの電源容量を増やすと、その定格消費電力以内に抑えるためにはモータ以外の部材への供給電力量を抑制する必要が生じてしまう。これは大きな設計変更の原因となり、コストアップにつながる。一方、装置の定格消費電力以内に抑える制限がない場合には、電力の必要に対処するために電源容量の大きな電源部を備えることが可能であるが、この場合にも装置のコストアップが生じてしまう。
【００１２】
さらに、装置の立ち上がりシーケンスとして電源オン直後に定着ヒータへの電力供給と同時に画像形成装置のメインモータを駆動させる構成の場合、定着ヒータの供給電力にメインモータ駆動時の供給電力が加算される。従って、その分だけ電源部の容量を増やす必要が生じてしまうが、これも上述のようにコストアップにつながってしまう。
【００１３】
本発明は上記従来例に鑑みてなされたもので、騒音発生を抑制し、かつ消費電力を抑えつつ、迅速な準備動作が可能な定着器を備える画像形成装置、及び画像形成装置の制御方法を提供することを目的としている。
【課題を解決するための手段】
【００１４】
上記目的を達成するために本発明の画像形成装置は次のような構成からなる。
【００１５】
即ち、電子写真方式に従って形成され、記録媒体に転写されたトナー像を定着フィルムにより熱定着して画像を形成する画像形成装置であって、前記記録媒体に転写されたトナー像を熱定着するために前記定着フィルムを加熱するヒータと、前記定着フィルムの温度を検知する検知手段と、前記画像形成装置がスリープ状態から復帰したかどうかを確認する確認手段と、前記確認手段により前記スリープ状態からの復帰が確認された場合、前記検知手段により検知される前記定着フィルムの温度と予め定められた閾値とを比較する比較手段と、前記比較手段による比較の結果、前記定着フィルムの温度が前記予め定められた閾値未満であれば、前記ヒータに通電して前記定着フィルムの予備加熱を行い、前記定着フィルムの温度が前記予め定められた閾値以上であれば、前記ヒータへの通電を行わないよう制御する制御手段とを有することを特徴とする。
【００１６】
また、本発明を別の側面から見れば、電子写真方式に従って形成され、記録媒体に転写されたトナー像を定着フィルムにより熱定着して画像を形成する画像形成装置の制御方法であって、前記定着フィルムの温度を検知する検知工程と、前記画像形成装置がスリープ状態から復帰したかどうかを確認する確認工程と、前記確認工程において前記スリープ状態からの復帰が確認された場合、前記検知工程により検知される前記定着フィルムの温度と予め定められた閾値とを比較する比較工程と、前記比較工程における比較の結果、前記定着フィルムの温度が前記予め定められた閾値未満であれば、前記記録媒体に転写されたトナー像を熱定着するために前記定着フィルムを加熱するヒータに通電して前記定着フィルムの予備加熱を行い、前記定着フィルムの温度が前記予め定められた閾値以上であれば、前記ヒータへの通電を行わないよう制御する制御工程とを有することを特徴とする制御方法を備える。
【発明の効果】
【００１７】
従って本発明によれば、検知された定着フィルムの温度が予め定められた閾値未満であれば、記録媒体に転写されたトナー像を熱定着するために定着フィルムを加熱するヒータに通電して定着フィルムの予備加熱を行うよう制御することができる。従って、加熱が必要な場合にだけ予備加熱を行えばよいので、無駄な電力消費を削減することができる。
【００１８】
また、定着フィルムの温度が前記予め定められた閾値以上であれば、前記ヒータへの通電を行わないよう制御するので、装置がスリープ状態からの復帰に係る動作をより速く終了させ、装置を画像形成可能な状態にすることができる。
【００１９】
さらに、装置がスリープ状態からの復帰に係る動作において、例えば、ローラなどの動作音が発生する部分が動作することがないので、装置の動作音を抑制して、より静粛なスリープ状態からの復帰を実現することができる。
【図面の簡単な説明】
【００２０】
【図１】本発明の代表的な実施例である電子写真方式に従って画像形成装置の構成を示す側断面図である。
【図２】図１に示す画像形成装置の制御構成を示すブロック図である。
【図３】定着器内部の詳細な構成を示す図である。
【図４】ヒータ制御動作を示すフローチャートである。
【発明を実施するための形態】
【００２１】
以下添付図面を参照して本発明の好適な実施例について、さらに具体的かつ詳細に説明する。
【００２２】
なお、この明細書において、「記録媒体」とは、一般的な記録装置で用いられる紙のみならず、広く、布、プラスチック・フィルム、金属板、ガラス、セラミックス、木材、皮革等、トナーを受容可能なものも表すものとする。
【００２３】
図１は本発明の代表的な実施例である電子写真方式に従って画像形成を行うプリンタ部を備えた画像形成装置１の構成を示す側断面図である。画像形成装置１には、後述のように用紙後端検知機能を備えている。
【００２４】
図１に示すように、画像形成装置１の給紙部２１には記録紙Ｓを収納するカセット２を備え、カセット２から配設されたピックアップローラ３により記録紙をピックアップする。一方、画像形成装置１には非定型用紙を手差し給紙できるマルチパーパストレイ（以下、ＭＰＴ）７とＭＰＴ７から記録紙をくり出すためのＭＰＴ給紙ローラ９が設けられている。そして、カセット２からの記録紙の搬送路５とＭＰＴ７からの搬送路１０とは合流点Ｃで合流し後述のレジストローラに至る。
【００２５】
合流点Ｃの下流には記録紙Ｓを同期搬送するレジストローラ１１が配設されており、レジストローラ１１の直前には用紙センサであるレジ前センサ１２が配設されている。センサは記録紙の接触で遮光板がフォトインタラプタを遮光することでレジ前センサ１２の位置に記録紙の有無を検知するようになっている。
【００２６】
レジストローラ１１の下流には、レーザスキャナ部１３からのレーザ光により画像を形成する画像形成部３０が配設されている。さらに、画像形成部３０の下流には定着器１４が配設されており、排紙トレイ１９まで記録紙を搬送する。ＭＰＴ７から供給された記録紙に対するプリントに際しては後述するビデオコントローラから画像形成装置１に対して記録紙のサイズに関する情報を予め設定するようになっている。
【００２７】
プリントに際してカセット２又はＭＰＴ７から給送されてきた記録紙は、レジストローラ１１の回転が停止した状態で上流側のローラ４又は９によってレジストローラ１１に先端を押し当てられることにより、位置決めが行われる。そして、後述するビデオコントローラから出力される画像の垂直同期信号に同期してレジストローラ１１の回転を開始することによりビデオコントローラから送られてくる画像データと記録紙との同期をとり、記録紙上の所定の位置に画像を記録する。
【００２８】
以上の制御については公知なので詳細な説明は省略する。
【００２９】
フラッパ８は記録紙を排紙トレイ１９に排紙するか、両面反転口２０に排出するかを制御するために用いられる。フラッパ８によって両面反転口２０に排出された記録紙を反転ローラ６を図中Ａ方向に回転することによって所定量搬送した後、搬送した所定量の用紙をＤ方向に回転することによって両面ユニット搬送路１８へと搬送する。このようにすることにより両面印刷が可能となる。両面ユニット搬送路１８へと搬送された記録紙は搬送ローラ１５、１６により両面ユニット１７の所定位置まで搬送され、再度本体側の搬送路へ送り込まれる。
【００３０】
なお、ピックアップローラ３、反転ローラ６、ＭＰＴ給紙ローラ９、レジストローラ１１、搬送ローラ１５、１６などの各ローラは対応するモータの駆動により回転する。
【００３１】
図２は画像形成装置１の制御構成を示すブロック図である。
【００３２】
図２から分かるように、画像形成装置１には２つのＣＰＵ２０１、２０４が備えられ、ＣＰＵ２０１はプリンタコントローラの部分の制御を担当し、ＣＰＵ２０４はプリンタエンジン２１０の部分の制御を担当する。
【００３３】
ＣＰＵ２０１は、ＲＯＭ２０２に格納された制御プログラムを読み出して実行することにより、入力された画像データの処理や印刷制御等の各種制御を行う。ＲＯＭ２０２はフラッシュＲＯＭであり、上記制御プログラム、後述する閾値等が格納されている。
【００３４】
ＲＡＭ２０３はＣＰＵ２０１の主メモリとして用いられ、ＣＰＵ２０１が制御プログラムを実行する際の作業領域などとして用いられ、後述するカウント値等を格納するのにも用いられる。また、ＲＡＭ２０３は印刷に用いられる画像データの一時的な格納や保存、転送等に用いられる。例えば、通信Ｉ／Ｆ２０５を介して外部のＰＣなどから転送された画像データはＲＡＭ２０３に転送され記憶される。また、印刷に用いられる画像データはＲＡＭ２０３から読み出されてプリンタＩ／Ｆ２０６を介してプリンタエンジン２１０に転送され、プリンタエンジン２１０で記録紙などの記録媒体に画像として印刷される。
【００３５】
操作部２１１は操作部Ｉ／Ｆ２０７を介してバス２１５に接続される。操作部２１１はスイッチやＬＥＤのみの構成から、タッチパネル式ＬＣＤを有しているものまで様々である。ともあれ、操作部２１１で入力した指示が操作部Ｉ／Ｆ２０７を介してＣＰＵ２０１に伝えられ、その指示に従った所望の処理が実行され、それに伴って処理結果やメッセージなどが操作部２１１に具備された表示部２１２に表示される。
【００３６】
電源管理部２１３は画像形成装置１内の各ブロック全て、又は一部に電力を供給したり、その電力供給を管理制御する。画像形成装置１がスリープ状態に入っている際には、必要最低限の部分にのみ電源を供給することで、省電力を実現している。
【００３７】
一方、ＣＰＵ２０４はプリンタエンジン２１０に含まれる各部の動作制御、例えば、ヒータ制御回路２０８や定着モータ２１４の動作を制御する。
【００３８】
具体的には、画像形成装置１がスリープ状態にあるときは、電源管理部２１３、ＲＡＭ２０３、通信Ｉ／Ｆ２０５、操作部Ｉ／Ｆ２０７、及び、操作部２１１の一部（節電ボタンの検知回路）のみに通電される。つまり、ＣＰＵ２０１、ＲＯＭ２０２、プリンタＩ／Ｆ２０６、プリンタエンジン２１０等への電力供給は遮断される。また、通電されている各ブロックにおいても、ＲＡＭ２０３は、セルフリフレッシュ状態に入る。このような電源管理部２１３による管理と制御により、画像形成装置１は、少なくとも通常状態（第１電力状態）と通常状態より消費電力の少ない節電状態（第２電力状態）で動作可能である。
【００３９】
次に、定着器１４の詳細な構成について説明する。
【００４０】
図３は定着器１４の詳細な構成を示す側断面図、特に、記録紙Ｓの搬送方向（矢印Ｂ方向）に沿った側断面図である。
【００４１】
定着器１４は、トナー像を加熱するセラミックヒータ（定着ヒータ）１１５とセラミックヒータ１１５を内包する無端帯状の回転自在な定着フィルム（定着回転体）１１６と定着フィルム１１６に当接された別の定着回転体としての加圧ローラ１１７とを含む。一方、定着器１４に対しては、セラミックヒータ１１５の温度を制御するための制御部（ＣＰＵ）２０４とヒータ制御回路２０８が接続されている。ヒータ制御回路２０８Ａはヒータの通電を制御する素子として、例えば、トライアック２０８Ａを含む。
【００４２】
さて、セラミックヒータ１１５は画像形成装置１に取り付けられたヒータホルダ１２３によって支持されている。ヒータホルダ１２３は耐熱樹脂によって半円状に形成された部材であり、定着フィルム１１６の回転をガイドするガイド部材としても作用する。
【００４３】
定着フィルム１１６はポリイミド等の耐熱樹脂を円筒状に形成したものであり、上述のセラミックヒータ１１５に遊嵌されている。定着フィルム１１６は加圧ローラ１１７によってセラミックヒータ１１５に押し付けられており、これにより定着フィルム１１６の裏面がセラミックヒータ１１５の下面に当接される。また、制御部２０４により制御される定着モータ２１４の駆動により加圧ローラ１１７の矢印Ｒ１１７方向の回転により記録紙Ｐが矢印Ｂ方向に搬送されるのに伴い、定着フィルム１１６は矢印Ｒ１１６方向に回転されるように構成されている。
【００４４】
なお、定着フィルム１１６の左右の両端部は、ヒータホルダ１２３のガイド部（不図示）によって規制されており、セラミックヒータ１１５の長手方向にずれないようになっている。また、定着フィルム１１６の内面にはセラミックヒータ１１５との間の摺動抵抗を低減するためにグリースを塗布してある。
【００４５】
加圧ローラ１１７は金属製の芯金１１７ａの外周面にシリコンゴム等の弾性を有する耐熱性の離型層１１７ｂを設けたものである。そして、離型層１１７ｂの外周面により下方から定着フィルム１１６をセラミックヒータ１１５に押し付けて、定着フィルム１１６との間に定着ニップ部Ｎを形成している。定着ニップ部Ｎにおける加圧ローラ１１７の回転方向についての幅（ニップ幅）をａとすると、ニップ幅ａは記録紙Ｓに転写されたトナー像を好適に加熱、加圧して熱定着することができる程度に設定されている。
【００４６】
制御部２０４はセラミックヒータ１１５の裏面に取り付けられたサーミスタ（温度検知素子）１１８が検出する温度に基づいて、ヒータ制御回路２０８によりトライアック２０８Ａを制御しセラミックヒータ１１５に対する通電を制御する。なお、セラミックヒータ１１５は定着フィルム１１６に押圧されて定着フィルム１１６を加熱するので、サーミスタ１１８による検出温度は定着フィルムの代表温度とも言える。
【００４７】
上述のように、定着器１４は加圧ローラ１１７の矢印Ｒ１１７方向の回転により記録紙Ｓを定着ニップ部Ｎで挟持搬送しつつ、セラミックヒータ１１５によって記録紙Ｓ上のトナー像を加熱する。このとき、制御部２０４によってセラミックヒータ１１５の温度を適切な温度に制御する。セラミックヒータ１１５への通電制御方法としては、交流電圧の波数によって投入電力を制御する波数制御方式や交流電圧のゼロクロスからの所定の遅延時間後に次のゼロクロスまで通電する位相制御方式等が適用される。
【００４８】
図４はプリンタエンジン２１０の制御手順を示すフローチャートである。
【００４９】
まずステップＳ１では、ＣＰＵ２０４はプリンタエンジン２１０の起動時、ＣＰＵ２０１からの指示に基づいて画像形成装置１がスリープ状態から復帰したかどうかを確認する。ここで、スリープ復帰と判断した場合、処理はステップＳ２に進み、ＣＰＵ２０４は各種初期動作を行った後、サーミスタ１１８の温度（Ｔ）を取得して、その温度と所定の閾値とを比較する。ここで、その閾値はグリース融点温度の１００℃とする。
【００５０】
ここで、サーミスタの温度（Ｔ）がグリース融点温度未満、即ち、閾値未満である場合（Ｔ＜１００℃）、処理はステップＳ３に進み、プレヒート加熱を開始する。プレヒート加熱とは加熱体（セラミックヒータ）への通電を開始し、定着フィルム１１６に塗布されているグリース（潤滑剤）の粘性が十分小さくなった時点で通電を停止し、定着フィルム１１６を目標温度（１００℃）とする加熱である。これに対して、サーミスタの温度（Ｔ）がグリース融点温度以上（閾値以上）となった場合（Ｔ≧１００℃）、プレヒート加熱は不要と判断し処理はステップＳ４に進み、この時点で初期動作終了と判断し画像形成装置１はプリント指示を受付可能な状態となる。
【００５１】
さて、ステップＳ１において、ＣＰＵ２０１からの指示に基づいてスリープ状態からの復帰ではないと判断した場合（例えば、画像形成装置１の電源スイッチオンなど）、処理はステップＳ５に進む。ステップＳ５では、各種アクチュエータを起動し、各ローラが回転し、ジャムやエラー検出を行う初期動作を行う。次に、ステップＳ６では、各種アクチュエータチェックのローラ回転の終了を待ち合わせ、各ローラの初期回転が終了した時点で、初期化動作を終了する。
【００５２】
従って以上説明した実施例に従えば、画像形成装置がスリープ状態からの復帰であるなら定着モータなどの各アクチュエータは駆動せず、その時点のセラミックヒータの検出温度に応じて定着フィルムのプレヒート（予備加熱）だけを行うよう制御できる。これにより、スリープ状態からの復帰動作においてはモータやローラの駆動による音の発生がなく、騒音発生を抑えることが可能になる。
【００５３】
また、スリープ状態からの復帰動作においてモータを駆動しないので、その分、消費電力を削減することも可能になる。さらに、セラミックヒータの検出温度が所定の閾値温度以上であれば、プレヒート動作も省略するので、より速く画像形成装置をプリント可能な状態に移行することが可能になる。
【００５４】
なお以上説明した実施例では、単機能のプリンタ（画像形成装置）を例として説明したが、発明はこれによって限定されるものではない。例えば、画像読取機能などを備えた多機能プリンタ装置（ＭＦＰ装置）や、通信機能を備えたファクシミリ装置、ネットワークを接続可能なネットワークプリンタなどに本発明を適用してもよい。
【符号の説明】
【００５５】
１  画像形成装置、２  カセット、３  ピックアップローラ、
４  給紙ローラ、５  搬送路（カセット給紙側）、６  反転ローラ、
７  マルチパーパストレイ（ＭＴＰ）、８  フラッパ、９  ＭＰＴ給紙ローラ、
１０  搬送路（ＭＰＴ給紙側）、１１  レジストローラ、１２  レジ前センサ、
１３  レーザスキャナ部、１４  定着器、１５〜１６  搬送ローラ（両面ユニット）、
１９  排紙トレイ、２０  両面反転口、２１  給紙部、３０  画像形成部、
１１５  セラミックヒータ、１１６  定着フィルム、１１７  加圧ローラ、
１１８  サーミスタ、１２０  定着モータ、２０１、２０４  ＣＰＵ、
２０２  ＲＯＭ、２０３  ＲＡＭ、２０５  通信Ｉ／Ｆ、２０６  プリンタＩ／Ｆ、
２０７  操作部Ｉ／Ｆ、２０８  ヒータ制御回路、２０８  トライアック、
２１０  プリンタエンジン、２１１  操作部、２１２  表示部、
２１３  電源管理部
【図１】
2016057505.tif 000003
【図２】
2016057505.tif 000004
【図３】
2016057505.tif 000005
【図４】
2016057505.tif 000006